(57)【要約】【課題】本発明は、ナイトカバーを備えた平型ショーケースにおいて、ナイトカバー１５を備えたことが原因となって、商品収容部に収容された商品や、ＰＯＰ札取付部に取付けられたＰＯＰ札が見難くなることを防止する。【解決手段】上部に開口４が形成されて内部に商品収容部５が形成された箱型の本体ケース３と、本体ケース３の内周に沿って形成された断面形状Ｕ字形の冷気通路６と、冷気通路６の一端側の上部に形成された冷気吹出口７と、冷気通路６の他端側の上部に形成された冷気吸込口８とを有する平型オープンショーケース１において、冷気吹出口７又は冷気吸込口８の上方を覆うノジング１２に、ロール状に丸められたナイトカバー１５が引出し可能に収容されるナイトカバー収容部１４を設ける。【選択図】図１
2020000284.tif 000002
【特許請求の範囲】
【請求項１】
上部に開口が形成されて内部に商品収容部が形成された箱型の本体ケースと、前記本体ケースの内周に沿って形成された冷気が流れる断面形状Ｕ字形の冷気通路と、前記冷気通路の一端側の上部に形成されて冷気が吹出す冷気吹出口と、前記冷気通路の他端側の上部に形成されて冷気が吸い込まれる冷気吸込口とを有する平型オープンショーケースにおいて、
前記冷気吹出口又は前記冷気吸込口の上方を覆うノジングに、ロール状に丸められたナイトカバーが引出し可能に収容されるナイトカバー収容部が設けられていることを特徴とする平型オープンショーケースのナイトカバー取付構造。
【請求項２】
前記ナイトカバー収容部が設けられた前記ノジングの上部に、ＰＯＰ札が取付けられるＰＯＰ札取付部が設けられていることを特徴とする請求項１記載の平型オープンショーケースのナイトカバー取付構造。
【発明の詳細な説明】
【技術分野】
【０００１】
本発明は、冷気が循環する冷気ダクトを備えた平型オープンショーケースのナイトカバー取付構造に関する。
【背景技術】
【０００２】
従来、スーパーマーケットやコンビニエンスストア等の店舗では各種のショーケースが使用されており、それらのショーケースの一例として、上部に開口が形成されて内部に商品収容部が形成された箱型の本体ケースと、本体ケースの内周に沿って断面形状Ｕ字形に形成された冷気ダクトとを備えた平型オープンショーケースが使用されている。このような平型オープンショーケースでは、夜間や休日等の営業終了時に開口を覆うナイトカバーを備えたものが知られており、その一例として、例えば、下記特許文献１に記載されたものがある。
【先行技術文献】
【特許文献】
【０００３】
【特許文献１】特開２００１−２３１６６６号公報
【発明の概要】
【発明が解決しようとする課題】
【０００４】
特許文献１に記載された平型オープンショーケースでは、本体ケースの四辺の上端縁部に風防ガラスが立設され、この風防ガラスの一辺の上端縁部にナイトカバー収容部が取付けられ、このナイトカバー収容部内にロール状に巻かれたナイトカバーが引出し可能に収容されている。
【０００５】
ナイトカバー収容部の取付位置が風防ガラスの上端縁部であるため、ナイトカバー収容部の取付位置が高くなっている。このため、平型オープンショーケースの側方を歩いている買物客が商品収容部に収容されている商品を見ようとしたとき、ナイトカバー収容部が買物客の視界を妨げて商品が見難くなる場合がある。特に、二つの平型オープンショーケースをナイトカバー収容部が取付けられている側を背中合わせにして配置した場合には、ナイトがー収容部の存在により買物客がいる側の反対側に配置されている平型オープンショーケースの商品収容部に収容されている商品が見難くなる。
【０００６】
また、平型オープンショーケースの本体ケースの上端側縁部に、商品収容部に収容されている商品を広告するためのＰＯＰ札が取付けられている場合、風防ガラスの上端縁部に取付けられている収容ケースがＰＯＰ札の上方を覆うような配置となり、ＰＯＰ札が見難くなっている。
【０００７】
本発明は、このような課題を解決するためになされたものであり、その目的は、ナイトカバーを備えた平型ショーケースにおいて、ナイトカバーを備えたことが原因となって商品収容部に収容されている商品が見難くなるということを防止することができ、また、ナイトカバーを備えたことが原因となってＰＯＰ札が見難くなるということを防止することができる平型オープンショーケースのナイトカバー取付構造を提供することである。
【課題を解決するための手段】
【０００８】
本発明に係る平型オープンショーケースのナイトカバー取付構造は、上部に開口が形成されて内部に商品収容部が形成された箱型の本体ケースと、前記本体ケースの内周に沿って形成された冷気が流れる断面形状Ｕ字形の冷気通路と、前記冷気通路の一端側の上部に形成されて冷気が吹出す冷気吹出口と、前記冷気通路の他端側の上部に形成されて冷気が吸い込まれる冷気吸込口とを有する平型オープンショーケースにおいて、前記冷気吹出口又は前記冷気吸込口の上方を覆うノジングに、ロール状に丸められたナイトカバーが引出し可能に収容されるナイトカバー収容部が設けられている。
【０００９】
また、前述の平型オープンショーケースにおいて、前記ナイトカバー収容部が設けられた前記ノジングの上部に、ＰＯＰ札が取付けられるＰＯＰ札取付部が設けられていることが望ましい。
【発明の効果】
【００１０】
本発明に係る平型オープンショーケースのナイトカバー取付構造によれば、冷気吹出口又は冷気吸込口の上方を覆うノジングに、ロール状に丸められたナイトカバーが引出し可能に収容されるナイトカバー収容部が設けられているので、ナイトカバー収容部の設置位置が低い位置となり、平型オープンショーケースの側方を歩く買物客が平型オープンショウケースの商品収容部に収容されている商品を見ようとする場合、ナイトカバー収容部により視界を妨げられることなく商品を見易くすることができる。
【００１１】
また、前述の平型オープンショーケースにおいて、ＰＯＰ札取付部はナイトカバー収容部が設けられたノジングの上部に設けられているので、ＰＯＰ札取付部に取付けられているＰＯＰ札を見ようとする場合、ナイトカバー収容部により視界を妨げられることなくＰＯＰ札を見易くすることができる。
【図面の簡単な説明】
【００１２】
【図１】平型オープンショーケースを示す断面側面図である。
【図２】ナイトカバー収容部とその周辺を拡大して示す断面側面図である。
【発明を実施するための形態】
【００１３】
本発明の一実施形態について、図面に基づいて説明する。図１は平型オープンショーケース１を示す断面側面図であり、図２はその一部を拡大して示す断面側面図である。この平型オープンショーケース１は、台座部２と、台座部２上に載置された箱型の本体ケース３とを有している。本体ケース３の上部には矩形状の開口４が形成され、本体ケース３の内部には商品収容部５が形成されている。
【００１４】
本体ケース３内にはその内周に沿って断面形状Ｕ字形の冷気通路６が形成され、冷気通路６の一端側の上部には冷気通路６内を流れた冷気が水平方向向きに吹出す冷気吹出口７が形成され、冷気通路６の他端側の上部には、冷気吹出口７から吹出した冷気が開口４を覆うように流れた後に吸い込まれる冷気吸込口８が形成されている。冷気通路６内には、冷気通路６内の空気を冷やすことにより冷気を生成する冷却器９と、生成された冷気を送風する送風ファン１０とが設けられている。
【００１５】
本体ケース３の４辺の上端縁部の外側寄りの部分には、冷気吹出口７から吹き出して冷気吸込口８に向かって流れる冷気の流れを保護するための風防ガラス１１が立設されている。
【００１６】
また、本体ケース３における冷気吹出口７が形成されている側の上端縁部の内側寄りの部分には、冷気吹出口７の上方を覆う吹出側ノジング１２が形成され、本体ケース３における冷気吸込口８が形成されている側の上端縁部の内側寄りの部分には、冷気吸込口８の上方を覆う吸込側ノジング１３が形成されている。
【００１７】
吹出側ノジング１２には、中空状に形成されて風防ガラス１１の横幅方向に沿って延びた長尺状のナイトカバー収容部１４が設けられている。このナイトカバー収容部１４には、ロール状に丸められたナイトカバー１５が引出し可能に収容されている。ナイトカバー１５の引出し側の先端部には係止具１６が設けられており、この係止具１６は、ナイトカバー収容部１４が設けられている側の向い側に位置する風防ガラス１１の上端縁部に引っ掛け可能な形状とされている。
【００１８】
吹出側ノジング１２の上部、及び、吸込側ノジング１３の上部には、商品収容部５に収容されている商品に関する値段や広告等を記載したＰＯＰ札（図示せず）が取付けられるＰＯＰ札取付部１７が取付けられている。ＰＯＰ札取付部１７の取付は、例えば、磁石を利用して着脱可能に行われている。
【００１９】
このような構成において、ロール状に丸められて引出し可能にナイトカバー収容部１４に収容されたナイトカバー１５を備えた平型オープンショーケース１では、夜間や休日等の営業終了時には、ナイトカバー１５をナイトカバー収容部１４から引き出し、図１の仮想線で示すように開口４を覆うことにより、商品収容部５に収容されている商品の保冷に要する消費電力を低減させたり、商品収容部５内への塵や埃の入り込みを防止したりしている。
【００２０】
一方、買物客がいる営業時間中は、ナイトカバー１５は丸めてナイトカバー収容部１４に収容されている。
【００２１】
ここで、ナイトカバー１５がロール状に丸めて収容されるナイトカバー収容部１４は、冷気吹出口７の上方を覆う吹出側ノジング１２に設けられているので、従来例のようにナイトカバー収容部を風防ガラス１１の上端縁部に取付ける場合に比べて、ナイトカバー収容部１４の設置位置が低い位置となっている。このため、平型オープンショーケース１の側方を歩いている買物客が商品収容部５に収容されている商品を見ようとした場合において、ナイトカバー収容部１４が買物客の視界を妨げることがなく、買物客は商品収容部５に収容されている商品が見易くなる。特に、二つの平型オープンショーケース１をナイトカバー収容部１４が取付けられている側を背中合わせにして配置した場合には、ナイトカバー収容部１４により視界を妨げられることがなく、買物客がいる側の反対側に位置している平型オープンショーケース１の商品収容部５に収容されている商品も見易くなる。
【００２２】
また、ＰＯＰ札取付部１７はナイトカバー収容部１４が設けられた吹出側ノジング１２の上部に設けられており、ＰＯＰ札取付部１７に取付けられているＰＯＰ札がナイトカバー収容部１４に覆われるということがない。このため、買物客がＰＯＰ札取付部１７に取付けられているＰＯＰ札を見ようとする場合、ナイトカバー収容部１４によって視界を妨げられるということがなく、ＰＯＰ札が見易くなる。
【００２３】
なお、本実施の形態では、ナイトカバー収容部１４を吹出側ノジング１２に設けた場合を例に挙げて説明したが、このナイトカバー収容部１４を吸込側ノジング１３に設けてもよい。その場合においても、ナイトカバー収容部１４の設置位置が低い位置となるために商品収容部５に収容されている商品が見易くなり、吸込側ノジング１３の上部に設置されたＰＯＰ札取付部１７に取付けられているＰＯＰ札が見易くなる。
【符号の説明】
【００２４】
１    平型オープンショーケース
２    台座部
３    本体ケース
４    開口
５    商品収容部
６    冷気通路
７    冷気吹出口
８    冷気吸込口
９    冷却器
１０    送風ファン
１１    風防ガラス
１２    吹出側ノジング
１３    吸込側ノジング
１４    ナイトカバー収容部
１５    ナイトカバー
１６    係止具
１７    ＰＯＰ札取付部
【図１】
2020000284.tif 000003
【図２】
2020000284.tif 000004